(57)【要約】制御棒案内管（１）と駆動ハウジング管（２）の間のバヨネット板ロック機構のバヨネット板は２分割で形成される。この板は、その長手軸を中心に回転可能に支承された中央バヨネットリング（６）とその外周を取り囲む外側リング（７）から成る。外側リング（７）はバヨネットリング（６）の外周上に支承され、その際バヨネットリングの外周を内側に向かって係合する。バヨネットリングはさらに恒常的に軸方向に制御棒案内管（１）に作用するばね圧により駆動ハウジング管（２）に嵌合結合を形成するために支持される。このばね圧は原子炉側から工具により支障なく解除できる。【選択図】図１
2014521944.tif 000002
【特許請求の範囲】
【請求項１】
沸騰水型原子炉の制御棒案内管（１）とこれにバヨネット板ロック機構を介して接続される駆動ハウジング管（２）において、バヨネット板の２分割性が、
ａ）長手軸（３）を中心に回転可能に支承された中央にあるバヨネットリング（６）がバヨネットスロットの担体として従来の構造および機能を有し、
ｂ）付加的にバヨネットリング（６）の外周上に支承された外側リング（７）が
ｉ）バヨネットリングの外周を内側から係合し、
ｉｉ）制御棒案内管（１）に軸方向に恒常的に作用するばね圧のもとに制御棒案内管（１）の床フランジ（４）に支持されている
ことによって保証されることを特徴とする制御棒案内管（１）と駆動ハウジング管（２）。
【請求項２】
外側リング（７）が同心的リング段（１６）によりバヨネットリング（６）の外周および下側に滑動的に当接していることを特徴とする請求項１記載の制御棒案内管（１）と駆動ハウジング管（２）。
【請求項３】
バヨネットリング（６）と床フランジ（４）との間の軸方向間隔を広げるとともにリング段表面を制御棒案内管（１）の方向に付勢する皿ばね（８）が設けられることを特徴とする請求項１または２記載の制御棒案内管（１）と駆動ハウジング管（２）。
【請求項４】
駆動ハウジング管（２）のヘッドに半径方向外側に突設され、バヨネット板ロック機構のロック状態においてバヨネットリング（６）に内側から係合する保持突起（１５）を特徴とする請求項１から３の１つに記載の制御棒案内管（１）と駆動ハウジング管（２）。
【請求項５】
バヨネットリング（６）の内側にあり駆動ハウジング管（２）のヘッドにある保持突起（１５）に相補的な対向突起（１８）がロック解除状態において保持突起（１５）と一致していることを特徴とする請求項１から４の１つに記載の制御棒案内管（１）と駆動ハウジング管（２）。
【請求項６】
皿ばね（８）が駆動ハウジング管（２）を半径方向のすべり座で取囲むことを特徴とする請求項１から５の１つに記載の制御棒案内管（１）と駆動ハウジング管（２）。
【請求項７】
駆動ハウジング管（２）における制御棒案内管（１）の半径方向外側に管の外套面を突出する載置面（１７）の表面形状が平坦、円錐または球状であることを特徴とする請求項１から６の１つに記載の制御棒案内管（１）と駆動ハウジング管（２）。
【請求項８】
バヨネットリング（６）が解離状態において軸方向遊びで駆動ハウジング管（２）の上に回転可能に支承されていることを特徴とする請求項１から７の１つに記載の制御棒案内管（１）と駆動ハウジング管（２）。
【請求項９】
バヨネットリング（６）がロック状態において有効ばね圧によりその座の軸方向に駆動ハウジング管（２）の上に締付けられることを特徴とする請求項１から８の１つに記載の制御棒案内管（１）と駆動ハウジング管（２）。
【請求項１０】
ロック状態におけるバヨネットリング（６）の回転防止がバヨネットリング（６）を貫通しロックヘッド（１４）を備えた固定ピン（１３）により行われることを特徴とする請求項１から９の１つに記載の制御棒案内管（１）と駆動ハウジング管（２）。
【発明の詳細な説明】
【技術分野】
【０００１】
本発明は、沸騰水型原子炉の制御棒案内管（ＳＳＦＲ）とこれに同軸的にバヨネット板ロック機構により接続された駆動ハウジング管（ＡＧＲ）に関する。
【背景技術】
【０００２】
基本的な要請は、制御棒案内管の浮きあがりを回避し、その結果として接続箇所での特定不可能な迂回を回避するために、駆動ハウジング管における制御棒案内管の載置状態の的確な固定締付けを行うことである。しかし他方では駆動ハウジング管への制御棒案内管の組立可能性に対する大きな要請がある。すなわち沸騰水型原子炉では出力を制御するために必要な制御棒は原子炉炉心下側の制御棒案内管（ＳＳＦＲ）に案内される。この極めて深いところにある制御棒案内管（ＳＳＦＲ）は、保守点検のため原子炉容器の下側のプレナムの領域に達するためには問題なく解体できなければならない。このためその脚板でそれぞれ駆動ハウジング管にロックされている制御棒案内管はロックを解除して駆動ハウジング管から引き抜かなければならない。しかし設備の長い運転時間が求められる場合には継ぎ手の嵌め合い箇所の堆積物のためにアクセスが困難であり、解体を困難にし、極めて時間もかかることになる。解体はまた、脚板が水で満たされた炉槽の水面下の深いところ（約３０ｍ）にあることにより困難とされている。
【０００３】
この脚板に到達するために従来技術ではたとえば、それぞれ４ｍの長さの７本までの工具棒を軸方向に連結し、この棒の下端に本来のロック工具およびロック解除工具を取り付け、脚板上に回転可能に支承されたバヨネットリング板に係合させることが公知となっている。この問題はたとえば特許文献１（明細書冒頭部分）に具体的に説明されている。
【先行技術文献】
【特許文献】
【０００４】
【特許文献１】独国実用新案登録ＤＥ２０１００３５１Ｕ１号公報
【発明の概要】
【発明が解決しようとする課題】
【０００５】
本発明の課題は、運転上実績のあるバヨネットロック機構を維持しながら運転技術上再三必要となる組立可能性を改良することにある。
【課題を解決するための手段】
【０００６】
この課題は本発明によれば請求項１の特徴により解決される。
【０００７】
これによればバヨネット板は少なくとも二分割される。バヨネット板は、バヨネットスロットの担体として従来の構造および機能を有する長手軸を中心に回転可能に支された中央のバヨネットリングから成り、これに付加的にバヨネットリングの外周上に支承された外側リングを有する。全体の配置は、外側リングがバヨネットリングの外周を内側に向かって係合し、軸方向に恒常的に制御棒案内管に作用するばね圧のもとに制御棒案内管の床フランジに、したがって駆動ハウジング管に対して間接的に、支持されるようになっている。この場合締付けられた外側リングおよびバヨネットリングはいわば解除可能な連結部分である。
【０００８】
制御棒案内管のロック解除のため駆動ハウジング管側から外側リングに運転中に恒常的に作用するばね圧は、外側リングが工具で押し下げられることにより解消される。次いで外側リングは回転により応力なしに一方ではロック解除され、他方ではロックされる。ロック状態ではバヨネットリングは間接的に外側リングを介して所定の力で制御棒案内管を駆動ハウジング管の載置面に押し付け、制御棒案内管を駆動ハウジング管と回転不能に駆動ハウジング管に締付ける。炉冷却材の運転時に洗われる制御棒案内管の「浮動」はしたがってすべての過渡的な運転過程においても確実に阻止される。ばね圧の発生に用いられる好適には皿ばねとして形成されるばね部材は駆動ハウジング管を半径方向の滑り座で取り囲む。
【０００９】
載置面の密閉性を保証するために駆動ハウジング管における制御棒案内管の対向載置面は平面（平坦）、円錐外套または球状に形成すると有利である。後者の２つの形状は、半径方向に作用する側面力の吸収を保証し、これにより駆動ハウジング管に対する制御棒案内管の不所望な水平方向（横から）の運動を阻止するという付加的な利点を有する。
【００１０】
バヨネットリングは駆動ハウジング管の上に軸方向の遊びをもって回転可能に支承される。この遊びは通常運転時には制御棒案内管に恒常的に作用するばね圧により補償されるが、組立または解体目的にのみ適当な工具で外側リングを緩めることにより許容される。
【００１１】
本発明のほかの有利な実施態様は従属請求項と詳細な図面説明から明らかである。
【００１２】
本発明により得られる利点は、一方では抑えばねをロック機構に組み込むことにより制御棒案内管を確実に駆動ハウジング管に締付けることができるので、あらゆる運転状態においても制御棒案内管の確実にして振動および動きのない組込み状態が保証されることにある。他方では二分割されたバヨネット板により、ロック解除および締付け時に外側リングは所属の工具により抑えられ、次いで内側のバヨネットリングが容易に動かすことができるので、組立が簡単になる。
【００１３】
本発明を以下に図面により例示する。図はそれぞれ簡単化した概略図である。
【図面の簡単な説明】
【００１４】
【図１】図１は制御棒案内管（ＳＳＦＲ）と駆動ハウジング管（ＡＧＲ）を軸方向に見た据え付け状態の全装置の斜視図を示す。
【図２】図２は図１の矢印ＩＩの方向にみた制御棒案内管の平面図で、駆動ハウジング管の中心長手軸に向かって外側から内側に順次設けられた、外側リング、これにより囲まれているバヨネットリング、および中央にあってバヨネットリングにより囲まれている駆動ハウジング管を示す。。
【図３】図３は外側リングの内側のリング段にバヨネットリングを載置した状態の拡大部分断面図である。
【発明を実施するための形態】
【００１５】
制御棒案内管１はここには詳細に示していない原子炉の制御棒を囲んでいる。制御棒は駆動ハウジング管２へ垂直方向に入り込んでいる駆動棒に接続されている。制御棒案内管１と駆動ハウジング管２の垂直軸により同心的に上から下に制御棒案内管１に入り込んでいる制御棒と駆動棒自体は図示されておらず、単に長手軸３でシンボル化されている。
【００１６】
制御棒案内管１は原子炉炉心とは反対側の床端部において駆動ハウジング管２の長手軸３の方向に内側に延びている床フランジ４で駆動ハウジング管２のリング状突起５の上に載っている。
【００１７】
制御棒案内管１内では長手軸３に対して半径方向に延びている床フランジ４の上側には、駆動ハウジング管２と同軸的に従来形式のバヨネットリング６とこれを本発明により半径方向の遊び座をもって取り囲む外側リング７とが位置決めされており、外側リング７はバヨネットリング６の外周にその内周で係合している。外側リング７はしたがって制御棒案内管１の床フランジ４の上に大部分が長手軸３と同心的に位置決めされている皿ばね８を介在して支持されている。皿ばね８は駆動ハウジング管２を半径方向のすべり座で取り囲んでいる。その使用は主としてわずかな所要面積と小さいばね行程で大きな力を得るのに適しており、それゆえ周知のように装置および工具における締め付け部材として有利に用いられている。市販の皿ばねは軸方向に負荷可能な円錐皿に形成されたリング板である。ここでは皿ばね８は駆動ハウジング管２を半径方向のすべり座で取り囲んでいる。
【００１８】
本発明のバヨネットロック機構の機能は原則的に従来公知の構造から知られている。バヨネットリング６はここでもその外周にて均等に分布された４個のリング状スリットもしくは長手スリット９を有しており、これらのスリットはバヨネットリング６を長手軸３と平行にその上側面１０からその下側面１１まで貫通している。その外周形状は長手軸３を中心点とする円弧である。長手スリット９は外周方向と同方向の一端でそれぞれ所属の保持ピンもしくは固定ピン１３のための止め孔とも呼ばれる挿入孔１２で終わっている。本実施例では４個の固定ピン１３はそのシャフトが制御棒案内管２の長手軸３と平行に延びている。これらのピンは取付け状態で下側の自由端で床フランジ４に固定、たとえばねじ止めされている。組込み状態において制御棒案内管１の方向に上側を向き長手スリット９を貫通しているピンの端部には半径方向に延びている止めヘッドもしくはロックヘッド１４が設けられており、これらのヘッドは締め付けもしくはロック位置で長手スリット９の挿入孔１２の外側でバヨネットリング６の自由表面に上側からあたり、皿ばね８の軸方向圧力が外側リング７を軸方向にバヨネットリング６に対して作用しこれによりバヨネットリング６の回転位置を固定する（回転防止）するかぎり、バヨネットリングを駆動ハウジング管２に嵌合結合的に締付ける。
【００１９】
ロック位置ではバヨネットリング６は、本実施例では円周上に均等に分布され駆動ハウジング管２のヘッドに突設されバヨネットリング６に内側から係合するカム状の保持突起１５により軸方向上側へのずれを防止されている。保持突起１５はすなわち軸方向遊びをもって支承されたバヨネットリング６のための上側のストッパを形成する。皿ばね８がバヨネット板の外側リング７と制御棒案内管１のリング状床フランジ４との間の軸方向間隔を広げようとするので、一方ではリング段１６を介してバヨネットリング６は上側に保持突起１５に対し押付けられる。他方では制御棒案内管１の床フランジ４は駆動ハウジング管２の下側ストッパとして作用するリング状突起５の載置面１７に対し押付けられ、これにより全体で制御棒案内管１を駆動ハウジング管２に固定させる。リング状突起５の載置面１７の適当な形状（たとえば円錐、丸、球）および床フランジ４のこれと相補的な載置面の形状によりこの領域における所望の密閉が達成できる。
【００２０】
固定作用は制御棒案内管１の上側から適当な工具により外側リング７に圧力を掛けることにより解消させることができる。これにより皿ばね８は圧縮押圧され、このばねにより作られたバヨネットロック機構のロック作用が解消される。バヨネットロック機構の解除はこれにより問題なく実現される。図２から最もよくわかるように、バヨネットリング６の内側の駆動ハウジング管２のヘッド部分にある保持突起１５に相補的な対向突起１８があり、これはロック解除状態において保持突起１５と一致するので、バヨネットリング６はロックヘッド１３の除去後必要に応じて駆動ハウジング管２の上側から引きはずすことができる。制御棒案内管１の床フランジ４は同様に相応する対向突起（図示せず）を有するので、ロック解除状態では制御棒案内管１を適当な回転位置で完全に駆動ハウジング管２から除去することができる。
【符号の説明】
【００２１】
１    制御棒案内管（ＳＳＦＲ）
２    駆動ハウジング管（ＡＧＲ）
３    長手軸
４    床フランジ
５    リング状突起
６    バヨネットリング
７    外側リング
８    皿ばね
９    長手スリット
１０  上側
１１  下側
１２  挿入孔
１３  固定ピン
１４  ロックヘッド
１５  保持突起
１６  リング段
１７  載置面
１８  対向突起
【図１】
2014521944.tif 000003
【図２】
2014521944.tif 000004
【図３】
2014521944.tif 000005
【国際調査報告】
2014521944.tif 000006
2014521944.tif 000007
2014521944.tif 000008
2014521944.tif 000009